(57)【要約】      （修正有）【課題】置き忘れを抑制可能な拡大鏡を提供する。【解決手段】ペン先保護部２と、胴体部３と、クリップ部４とを有する筆記具用キャップ１であって、さらに拡大鏡部５を有し、上記拡大鏡部の外枠部５ｂが上記ペン先保護部と接続されたことを特徴とする。上記胴体部の一部又は全部が弾性部材で形成されていることがより好ましい。また、本考案の筆記具は、少なくとも胴軸部及びペン先部を有するペン本体と、上記筆記具用キャップとを有する。【選択図】図１
0003233246.tif 000002
【実用新案登録請求の範囲】
【請求項１】
ペン先保護部と、胴体部と、クリップ部とを有する筆記具用キャップであって、
さらに拡大鏡部を有し、上記拡大鏡部の外枠部が上記ペン先保護部と接続されたことを特徴とする筆記具用キャップ。
【請求項２】
上記胴体部の一部又は全部が弾性部材で形成されていることを特徴とする請求項１に記載の筆記具用キャップ。
【請求項３】
少なくとも胴軸部及びペン先部を有するペン本体と、請求項１または２に記載の筆記具用キャップとを有する筆記具。
【考案の詳細な説明】
【技術分野】
【０００１】
本考案は、筆記具用キャップ及びこれを用いた筆記具に関するものである。
【背景技術】
【０００２】
高齢化の進展に伴い、拡大鏡への需要が年々高まっている。利用者のニーズに合わせ、様々な拡大鏡が考案され、市場で入手可能である。
特許文献１には、透明樹脂で細長い平型の直方形柱状の本体に光学系ガラスの細長い凸レンズを嵌め込み、さらに本体の握り部に、本体を掛止できる止め器具を形成した拡大鏡が開示されている。特許文献１に記載の拡大鏡は、携帯性こそ高いものの、その小ささゆえに置き忘れが多く、不便であった。
【０００３】
特許文献２には、携帯可能な拡大鏡であって、第１の主面，第２の主面と、前記第１の主面と前記第２の主面とを貫通する第１，第２の開口を有する矩形状の筐体と、前記第１の開口内に収容される凸レンズと、を備えることを特徴とする拡大鏡が開示されている。特許文献２に記載の拡大鏡は、第２の開口にストラップや紐などを通し、衣服に結び付けることで、拡大鏡の置き忘れを抑制しているが、ストラップ、ひもなどの固定用部分が拡大鏡の使用時に邪魔になるという問題があった。
【先行技術文献】
【特許文献】
【０００４】
【特許文献１】実開平５−８１８１７号公報
【特許文献２】実用新案登録第３１８９０１４号公報
【考案の概要】
【考案が解決しようとする課題】
【０００５】
本考案は、置き忘れを抑制可能な拡大鏡を提供することを主な目的とする。
【課題を解決するための手段】
【０００６】
本考案は、以下の［１］〜［３］を提供する。
［１］ペン先保護部と、胴体部と、クリップ部とを有する筆記具用キャップであって、さらに拡大鏡部を有し、上記拡大鏡部の外枠部が上記ペン先保護部と接続されたことを特徴とする筆記具用キャップ。
［２］上記胴体部の一部又は全部が弾性部材で形成されていることを特徴とする［１］に記載の筆記具用キャップ。
［３］少なくとも胴軸部及びペン先部を有するペン本体と、［１］または［２］に記載の筆記具用キャップとを有する筆記具。
【考案の効果】
【０００７】
本考案によれば、置き忘れを抑制可能な拡大鏡を提供することができる。すなわち、本考案の筆記具用キャップによれば、拡大鏡が筆記具用キャップと一体化しているため、筆記を行いつつ拡大鏡を利用することができる。また、筆記を行わない場合も、筆記具と共に筆記具用の保管用具へ収納することができ、置き忘れを抑制することができる。
【図面の簡単な説明】
【０００８】
【図１】図１は、本考案の一実施形態にかかる筆記具用キャップを示す斜視図である。
【図２】図２は、図１に記載の筆記具用キャップを示す正面図である。
【図３】図３は、図２のＡ−Ａ’線における断面図を示す。
【図４】図４は、本考案の他の実施形態にかかる筆記具を示す正面図である。
【考案を実施するための形態】
【０００９】
以下、適宜図面を参照しつつ、本発明の一例である実施の形態について説明する。なお、本発明は、実施の形態に限定されない。
【００１０】
（実施形態１）
図１、図２に示す筆記具用キャップ１は、ペン先保護部２、胴体部３、クリップ部４及び拡大鏡部５を有する。上記筆記具用キャップ１は、筆記を行う場合、ペン本体のテール部に取り付け又はペン本体とは別に用いる。筆記を行わない場合、ペン本体のペン先部にかぶせる。
【００１１】
上記ペン先保護部２は、上記胴体部３の長さ方向において、開口部と反対方向に形成された蓋状の部分である。上記ペン先保護部２は、上記筆記具用キャップ１に対し挿入されたペン本体のペン先部に対向し、ペン先部の保護及び乾燥の防止を行う。
上記胴体部３は、略筒状に形成され、挿入されたペン本体の胴軸部分に係合する。上記胴体部３の断面形状は、円形、三角形、四角形、多角形のいずれでもよい。
【００１２】
上記胴体部３の一部又は全部が弾性部材で形成されていることが好ましい。かかる構成であれば、上記胴体部３が径方向に弾性変化することが可能となり、挿入されたペン本体の径の大小にかかわらず、ペン本体方向に適当な圧をかけることで上記筆記具用キャップ１とペン本体とを係合することができる。
弾性部材としては、例えばゴム、樹脂、シリコン等が挙げられる。
【００１３】
上記クリップ部４は留め具であり、上記筆記具用キャップ１あるいは上記筆記具用キャップ１を備えた筆記具を、例えばシャツの胸ポケット、Ｙシャツの内ポケット、バッグ内のポケット等の任意の場所に取り付ける。
上記クリップ部４は、一部又は全部が弾性部材により形成されており、クリップ部４と上記胴体部３の間の開口部分の大きさを変動することができる。よって、取り付ける部分の厚みの大小にかかわらず、上記筆記具用キャップ１を固定することができる。弾性部材としては、例えば金属、バネ、ゴム、樹脂、シリコン等が挙げられる。
【００１４】
上記拡大鏡部５は、レンズ部５ａと外枠部５ｂを有する。上記レンズ部５ａは、透明な材料で形成された光学系レンズであり、文字や図面等を拡大することができる。上記レンズ部５ａは、プラスチック等の軽量素材で形成することが好ましい。上記レンズ部５ａは薄型レンズであってもよいし、非球面レンズであってもよい。
上記外枠部５ｂは、上記レンズ部５ａを支持するフレーム部分であり、樹脂、金属等で形成される。
図３に示すように、上記外枠部５ｂと上記ペン先保護部２は、同一の素材により一体として形成されていることが好ましい。上記外枠部５ｂと上記ペン先保護部２の接続部が不要なため、強度が保てるからである。
また、上記外枠部５ｂと上記ペン先保護部２は、接着層を介して接続されてもよい。上記外枠部５ｂと上記ペン先保護部２を別に形成することで、コストの削減が可能となる。接着層は、２以上の部材を接続するための層であり、例えば接着剤、両面テープ、プラスチックの圧着等により形成される。
【００１５】
上記筆記具用キャップ１は、筆記具用キャップ、拡大鏡の両方の機能を備える。拡大鏡として、文字や手元の拡大を行うことも、筆記具用キャップとして携帯、保管することも可能である。上記筆記具用キャップ１は、ペン本体と共に用いることで、ペンケース、ペン立て、シャツの胸ポケットなど、筆記具の保管場所を活用するができる。よって、拡大鏡の紛失や置き忘れ等を抑制することができる。
【００１６】
（実施形態２）
図４に示す筆記具１０は、実施形態１の筆記具用キャップ１と、ペン本体１１とを有する。上記ペン本体１１は、ペン先部１２、胴軸部１３及びテール部１４を有する。
上記ペン本体１１は、筆記のための道具である。上記本体部１１としては、例えば万年筆、ボールペン、筆ペン、マーカー、鉛筆等の筆記を行う部分が挙げられる。
上記ペン先部１２は、例えば紙、布、樹脂、金属等の筆記対象物に対し、例えば炭、インク、朱肉、化粧材等の画材を移すことで、文字、図形、記号等を記録する。上記胴軸部１３は、筆記を行う際、利き手等を用いて把持する部分である。上記テール部１４は、上記胴軸部１３の長さ方向に対しペン先部と反対方向に位置し、筆記を行う際に上記筆記具用キャップ１をかぶせる部分である。
【００１７】
上記筆記具用キャップ１を上記ペン本体１１にかぶせた状態で、上記筆記具１０により筆記を行う場合、上記同軸部１３の上記テール部１４の方向に、上記拡大鏡部５が位置する。それゆえ、上記ペン先部１２による筆記と、上記拡大鏡部５による文字の拡大を、ほぼ同時に行うことができる。例えば、上記拡大鏡部５を用いて文字を拡大し、必要に応じてメモを行う等ができる。他方、筆記を行わない場合、上記ペン先部１２の方向に上記拡大鏡部５が存在する。
いずれの場合も、拡大鏡として使用する用いる際、上記胴軸部１３を把持することで持ち手付ルーペのように用いることができる。
【産業上の利用可能性】
【００１８】
本考案によれば、置き忘れを抑制可能な拡大鏡を提供することができるため、産業上有用に利用できる。
【符号の説明】
【００１９】
１    筆記具用キャップ
２    ペン先保護部
３    胴体部
４    クリップ部
５    拡大鏡部
５ａ  レンズ部
５ｂ  外枠部
１０    筆記具  
１１    ペン本体
１２    ペン先部
１３    胴軸部
１４    テール部
【図１】
0003233246.tif 000003
【図２】
0003233246.tif 000004
【図３】
0003233246.tif 000005
【図４】
0003233246.tif 000006